(57)【特許請求の範囲】
【請求項１】
回転ヘッドを搭載した回転部と非回転部分である固定側シリンダとを有する回転ヘッドシリンダをもつ磁気記録再生装置であって、
雄ねじ部と、これに同心で一体になった円筒部と、この円筒部に一体になった鍔部とを有するＮ個（Ｎは正の整数）の止めネジと、
前記固定側シリンダに設けられ、前記雄ねじ部と螺合するＮ個の雌ねじ部と、
前記固定側シリンダが搭載される基盤と、
前記基盤に設けられ、前記止めネジが貫通するとともに、その深さは前記円筒部の長さよりも浅い穴部と、
前記基盤と前記鍔部との間に配したＮ個の板バネとを備え、
前記板バネは、前記円筒部を貫通する板バネ穴部と、前記板バネ穴部の近傍に一対の板バネ突起部を有するものであり、
前記止めネジが前記固定側シリンダに螺合された状態では、
前記一対の板バネ突起部が前記止めネジの鍔部と前記基盤との間で弾性変形するとともに、
前記Ｎ個の板バネを前記板バネ穴部近傍に設けられたくびれ部を介して、前記Ｎ個の板バネと同材質の結合部により一体に構成した板バネ結合体の輪郭形状の一部が、前記固定側シリンダーの一部もしくは前記基盤の一部に係合する
ことを特徴とする磁気記録再生装置。
【発明の詳細な説明】
【０００１】
【発明の属する技術分野】
本発明は、磁気ヘッドが取付けられた回転シリンダに磁気テープ巻き付けて走行させて、磁気ヘッドと磁気テープの摺接をはかり、信号の記録再生を行うビデオテープレコーダーのような磁気記録再生装置に関するものである。
【０００２】
【従来の技術】
近年、カセット式ビデオテープレコーダーのような磁気記録再生装置は小型・薄型化が進んでいる。
【０００３】
以下に従来の磁気記録再生装置について説明する。
図８は、従来の磁気テープに信号の記録再生を行うことのできる位置での磁気記録再生装置の模式図である。１はカセットで、２は前記カセット１に張架された磁気テープで、３，４はリールで前記カセット１に収納されており前記テープ２が巻かれている。５は磁気ヘッドが取付けられた回転ヘッドシリンダの非回転部である固定側シリンダで、前記テープ２が巻回されることより、テープ２に信号の記録再生を行う。６は基盤で前記固定側シリンダ５を固定している。７ａ，７ｂ，７ｃ，７ｄ，７ｅ，７ｆ，７ｇ，７ｈ，７ｉはテープガイドポストで、前記テープ２を信号の記録再生が行える所定の位置にカセット１よりテープ２を引出してガイドするポストである。
【０００４】
次に前記固定側シリンダ５を基盤６に固定する方法を説明する。図９は、従来の磁気記録再生装置の固定側シリンダを基盤に固定した状態の断面図である。図１０は図９に記載するＤ矢視図である。１５は止めネジで３個あり、前記固定側シリンダ５を基盤６に固定する部材である。１６は圧縮バネで３個あり、前記固定側シリンダ５に歪みを生じさせないように一定荷重で固定するために、固定側シリンダ５は、圧縮バネ１６を介して止めネジ１５によって基盤６に取り付けられる。
【０００５】
【発明が解決しようとする課題】
しかしながら上記の従来の構成では、固定側シリンダ５に歪みを生じさせないように一定荷重で固定するためには、止めネジ１５と圧縮バネ１６の大きな高さスペースが必要になり、メカニズムの厚み寸法が大きくし、さらなる小型化への障害になるという問題点を有していた。
【０００６】
本発明は上記従来の問題点を解決するもので、一定荷重でシリンダを基盤に固定し、且つ、小スペースでシリンダを基盤に取り付ける手段により、固定側シリンダに歪みを生じさせることなく、薄型化された磁気記録再生装置を提供することを目的とする。
【０００７】
この目的を達成するために本発明の磁気記録再生装置は、回転ヘッドを搭載した回転部と非回転部分である固定側シリンダとを有する回転ヘッドシリンダをもつ磁気記録再生装置であって、雄ねじ部と、これに同心で一体になった円筒部と、この円筒部に一体になった鍔部とを有するＮ個（Ｎは正の整数）の止めネジと、前記固定側シリンダに設けられ、前記雄ねじ部と螺合するＮ個の雌ねじ部と、前記固定側シリンダが搭載される基盤と、前記基盤に設けられ、前記止めネジが貫通するとともに、その深さは前記円筒部の長さよりも浅い穴部と、前記基盤と前記鍔部との間に配したＮ個の板バネとを備え、前記板バネは、前記円筒部を貫通する板バネ穴部と、前記板バネ穴部の近傍に一対の板バネ突起部を有するものであり、前記止めネジが前記固定側シリンダに螺合された状態では、前記一対の板バネ突起部が前記止めネジの鍔部と前記基盤との間で弾性変形するとともに、前記Ｎ個の板バネを前記板バネ穴部近傍に設けられたくびれ部を介して、前記Ｎ個の板バネと同材質の結合部により一体に構成した板バネ結合体の輪郭形状の一部が、前記固定側シリンダーの一部もしくは前記基盤の一部に係合する構成を有している。
【０００８】
この構成によって、従来の固定側シリンダを基盤に固定するためのシリンダ止めネジの高さが少ないスペースで、一定荷重による固定ができ、且つ、小スペースで固定側シリンダを基盤に固定することができ、メカニズムを薄型化することが可能になる。
【０００９】
【発明の実施の形態】
本発明の請求項１に記載の発明は、回転ヘッドを搭載した回転部と非回転部分である固定側シリンダとを有する回転ヘッドシリンダをもつ磁気記録再生装置であって、雄ねじ部と、これに同心で一体になった円筒部と、この円筒部に一体になった鍔部とを有するＮ個（Ｎは正の整数）の止めネジと、前記固定側シリンダに設けられ、前記雄ねじ部と螺合するＮ個の雌ねじ部と、前記固定側シリンダが搭載される基盤と、前記基盤に設けられ、前記止めネジが貫通するとともに、その深さは前記円筒部の長さよりも浅い穴部と、前記基盤と前記鍔部との間に配したＮ個の板バネとを備え、前記板バネは、前記円筒部を貫通する板バネ穴部と、前記板バネ穴部の近傍に一対の板バネ突起部を有するものであり、前記止めネジが前記固定側シリンダに螺合された状態では、前記一対の板バネ突起部が前記止めネジの鍔部と前記基盤との間で弾性変形するとともに、前記Ｎ個の板バネを前記板バネ穴部近傍に設けられたくびれ部を介して、前記Ｎ個の板バネと同材質の結合部により一体に構成した板バネ結合体の輪郭形状の一部が、前記固定側シリンダーの一部もしくは前記基盤の一部に係合することを特徴としたものであり、板バネを用いることにより、固定側シリンダに歪みを生じさせることなく、一定荷重で固定側シリンダを基盤に固定し、且つ、小スペースで固定側シリンダを基盤に取り付けることができ、装置を薄型化することができるという作用を有する。
【００１３】
以下本発明の磁気記録再生装置の実施の形態について、図１から図７を用いて説明する。
【００１４】
（実施の形態１）
図１は、磁気テープに信号の記録再生を行うことのできる位置での磁気記録再生装置の模式図である。１はカセットで、２は前記カセット１に張架された磁気テープで、３，４はリールで前記カセット１に収納されており前記テープ２が巻かれている。５は、磁気ヘッドが取付られた回転シリンダの非回転部である固定側シリンダで、前記テープ２が巻回されることより、テープ２に信号の記録再生を行う。６は基盤で前記固定側シリンダ５を固定している。７ａ，７ｂ，７ｃ，７ｄ，７ｅ，７ｆ，７ｇ，７ｈ，７ｉはテープガイドポストで、前記テープ２を信号の記録再生が行える所定位置にカセット１よりテープ２を引出してガイドするポストである。
【００１５】
次に前記固定側シリンダ５を基盤６に固定する方法を説明する。図２は、本発明の実施の形態１における磁気記録再生装置の固定側シリンダを基盤に固定した状態の断面図である。図３は図２に記載するＡ矢視図である。８は止めネジでＮ個あり、雄ねじ部８ａとこれに同心で一体になった円筒部８ｂと、この円筒部８ｂに一体になった鍔部８ｃとを有している。前記固定側シリンダ５には前記止めネジ８の雄ねじ部８ａと螺合する雌ねじ部（図示せず）が設けられている。ここでＮは正の整数であり、本実施の形態における説明ではＮは３である。９は板バネでＮ個あり、前記止めネジ８が貫通する穴部（６ａ）を有し、且つ前記基盤６と前記止めネジ８の鍔部８ｃとの間に配されている。また前記固定側シリンダ５に歪みを生じさせないように一定荷重で固定するために、固定側シリンダ５は、板バネ９を介して止めネジ８によって基盤６に取り付けられる。
【００１６】
以上のように本実施の形態によれば、固定側シリンダに歪みを生じさせることなく、一定荷重でシリンダを基盤に固定し且つ、板バネにより高さスペースを少なくでき、小スペースでシリンダを基盤に取り付けることができ、装置を薄型化することができる。
【００１７】
（実施の形態２）
図４は、本発明の実施の形態２における磁気記録再生装置の固定側シリンダを基盤に固定した状態の断面図である。図５は図４に記載するＢ矢視図である。１０は、実施の形態１でのＮ個の板バネ９を一体化した、板バネ結合体である一体化板バネで、前記固定側シリンダ５に歪みを生じさせないように一定荷重で固定するために、固定側シリンダ５は、一体化板バネ１０を介して止めネジ８によって基盤６に取り付けられる。ここでＮは正の整数であり、本実施の形態における説明ではＮは３である。１１は、前記一体化板バネ１０の一部に設けられた凸部で、前記固定側シリンダ５の下方に設けられた凸部１２に係合し、容易に所定の位置に保持される構成になっている。
【００１８】
以上のように本発明の実施の形態によれば、板バネを一体化させることにより、組立性が向上し、且つ、機構部品数を少なくすることができ、板バネ結合体の輪郭形状の一部が、シリンダの凸部に係合することにより、板バネの組立性を向上させることができる。
【００１９】
（実施の形態３）
図６は、本発明の実施の形態３における磁気記録再生装置の固定側シリンダを基盤に固定した状態の断面図である。図７は、図６に記載するＣ矢視図である。１３は実施の形態２での一体化板バネ１０の凸部１１を無くした、板バネ結合体である一体化凸無し板バネで、前記固定側シリンダ５に歪みを生じさせないように一定荷重で固定するために、固定側シリンダ５は、一体化凸無し板バネ１３を介して止めネジ８によって基盤６に取り付けられる。１４は前記基盤６の一部に設けられた凸部で、前記一体化凸無し板バネ１３に係合し、容易に所定の位置に保持される構成になっている。
【００２０】
なお、以上の説明で図６，図７に記載する基盤６の一部に設けられた凸部１４としたが、基盤６の一部に穴を設けても良い。またその場合、一体化凸無し板バネ１３は前記基盤６の穴に係合するための凸部または、折り曲げを設けた形状とする。
【００２１】
以上のように本実施の形態によれば、板バネを一体化させることにより、組立性が向上し、且つ、機構部品数を少なくすることができ、板バネ結合体の輪郭形状の一部が、基盤の一部に係合することにより、板バネの組立性を向上させることができる。
【００２２】
【発明の効果】
以上のように本発明は、磁気ヘッドが取付けられた回転シリンダに磁気テープを巻き付けて走行させて、磁気ヘッドと磁気テープの摺接をはかり、信号の記録再生を行うように構成された磁気記録再生装置に関するものであって、固定側シリンダに歪みを生じさせないように、基盤と止めネジとの間に板バネを配することで、一定荷重で固定でき、且つ、小スペースで固定側シリンダを基盤に固定することができ、装置を薄型化することができるという優れた効果が得られる。
【図面の簡単な説明】
【図１】本発明の実施の形態１における磁気テープに信号の記録再生を行うことのできる位置での磁気記録再生装置の模式図
【図２】本発明の実施の形態１における磁気記録再生装置の固定側シリンダを基盤に固定した状態の断面図
【図３】図２に記載するＡ矢視図
【図４】本発明の実施の形態２における磁気記録再生装置の固定側シリンダを基盤に固定した状態の断面図
【図５】図４に記載するＢ矢視図
【図６】本発明の実施の形態３における磁気記録再生装置の固定側シリンダを基盤に固定した状態の断面図
【図７】図６に記載するＣ矢視図
【図８】従来の磁気テープに信号の記録再生を行うことのできる位置での磁気記録再生装置の模式図
【図９】従来の磁気記録再生装置の固定側シリンダを基盤に固定した状態の断面図
【図１０】図９に記載するＤ矢視図
【符号の説明】
５  固定側シリンダ
６  基盤
８  止めネジ
８ａ  止めネジの雄ねじ部
８ｂ  止めネジの円筒部
８ｃ  止めネジの鍔部
９  板バネ
１０  一体化板バネ
１１  一体化板バネの一部に設けられた凸部
１２  固定側シリンダの下方に設けられた凸部
１３  一体化凸無し板バネ
１４  基盤の一部に設けられた凸部
【図１】
0003886277.tif 000002
【図２】
0003886277.tif 000003
【図３】
0003886277.tif 000004
【図４】
0003886277.tif 000005
【図５】
0003886277.tif 000006
【図６】
0003886277.tif 000007
【図７】
0003886277.tif 000008
【図８】
0003886277.tif 000009
【図９】
0003886277.tif 000010
【図１０】
0003886277.tif 000011